(57)【要約】【課題】第１に、残液が殆ど発生せず、収納されたほぼ全ての液状内容物が、使用に供されるので、無駄がないと共に、第２に、液状内容物の詰め替え補充作業が、手間や時間を要することなく簡単容易に行える、ポンプ付きの容器を提案する。【解決手段】この容器８は、液状内容物Ａを収納すると共に、手動ポンプ１にて吐出可能となっている。そして、底部９中央に形成された所定容積の凹部１４と、凹部１４に向け下降傾斜した底面１５と、吸い上げ用のチューブパイプ７と、を有している。チューブパイプ７は、ポンプ１から垂下され、下端部１９が凹部１４の内部中央に臨んで位置し、下端部１９対向面に切欠開口２０が形成されている。又、肩部５と胴部４との間が、着脱可能となっており、分離取外し状態において、液状内容物Ａの詰め替え袋が、胴部４内に収納可能であると共に、チューブパイプ７の下端部１９にて破断可能となっている。【選択図】図１
2006315744.tif 000002
【特許請求の範囲】
【請求項１】
液状内容物を収納すると共に、口部に付設された手動ポンプにて吐出可能な容器であって、底部中央に形成された凹部と、該凹部に向け下降傾斜した底部底面と、該ポンプから垂下され下端部が該凹部の内部中央に臨んで位置する吸い上げ用のチューブパイプと、を有してなることを特徴とする、ポンプ付きの容器。
【請求項２】
請求項１に記載したポンプ付きの容器において、該液状内容物は、粘性を帯びており、該凹部は、該ポンプの１回分の吐出量に見合った容積か若干少な目の容積よりなり、該底部底面は、放射状に浅い段差が複数設けられ、もって高位エリアと低位エリアとが交互に形成されており、
又、該チューブパイプの下端部は、対向面に切欠開口が形成され、該切欠開口は、高さ寸法が該凹部の深さ寸法以下に設定されており、かつ、該底部下に外周足部が形成され、該外周足部は、下端が該凹部以下の高さレベルまで垂下されていること、を特徴とする、ポンプ付きの容器。
【請求項３】
請求項２に記載したポンプ付きの容器において、該液状内容物を使い切って補充する際は、詰め替え袋内に封入されたものを使用する方式よりなると共に、
該口部下の肩部と底部上の胴部との間が着脱可能となっており、分離取外し状態において、該液状内容物の詰め替え袋が、該胴部内に収納可能であると共に、該チューブパイプの下端部にて破断可能となっていること、を特徴とする、ポンプ付きの容器。
【発明の詳細な説明】
【技術分野】
【０００１】
本発明は、ポンプ付きの容器に関する。すなわち、液状内容物を収納し、付設された手動ポンプにて吐出可能な、ポンプ付きの容器に関するものである。
【背景技術】
【０００２】
《技術的背景》
この種の容器は、例えばシャンプー液，リンス液，化粧液，その他の液状内容物を、内部に収納すると共に、付設された手動ポンプを操作することにより、適量を外部に吐出して、使用に供するようになっている。
そして、下から順に底部，胴部，肩部，口部の順に一体形成されており、上部の口部にポンプが付設された構造よりなる。
【０００３】
《従来技術》
図３は、この種従来例の正断面図である。同図にも示したように、この種従来例のポンプ１付きの容器２の底部３は、中央が若干高く、外周に向け下降傾斜した形状よりなっていた。すなわち、底部３底面が凸曲状に若干わん曲した形状よりなっていた。又、これによらず、底部３低面が、フラットな水平平面形状よりなるものもあった。
なお図中、４は胴部、５は肩部、６は、ポンプ１が付設された口部である。７は、ポンプ１から垂下された吸い上げ用のチューブパイプであり、その下端部は、水平面や傾斜面でカットされていた。
【０００４】
《先行技術文献情報》
このような従来例としては、例えば、次の特許文献１中に示されたものが挙げられる。
【特許文献１】特開２０００−３３５６６６号公報
【発明の開示】
【発明が解決しようとする課題】
【０００５】
ところで、このような従来例のポンプ１付きの容器２については、次の問題が指摘されていた。
《第１の問題点》
第１に、残液量が多く無駄が多い、という問題が指摘されていた。すなわち、この種の容器２の底部３は、成形上の理由や安定面の理由により、前述したように、凸曲形状や平面形状をなしている。
→そこで、内部に収納された液状内容物Ａは、ポンプ１での吐出が繰り返されて、使用が進み、→最終段階になると、底部３上に残液として残ってしまっていた。
→つまり、ポンプ１側のチューブパイプ７下端部の吸引力が及ばなくなるエリアが、底部３の例えば外周側上等に、どうしても発生し、→同エリアに多量の残液が、使用されないまま取り残されてしまい、→無駄が多い、という問題が指摘されていた。→特に、粘性を帯び液状内容物Ａの場合は、問題が顕著化していた。
【０００６】
《第２の問題点》
第２に、液状内容物Ａの詰め替え補充作業が、面倒で煩わしい、という問題も指摘されていた。
すなわち、この種の容器２では、収納された液状内容物Ａを使い切ると（前述により残液は発生するが）、→新たな液状内容物Ａが封入された詰め替え袋Ｂ（図２の（４）図を参照）を利用する方式が、採用されていた。→そして、容器２の口部６から、チューブパイプ７付のポンプ１を、取り外すと共に、→詰め替え袋Ｂの封を切って、封入されていた液状内容物Ａを、開放された口部６から容器２内に少しずつ充填していた。
→しかしながら、小さな口部６から、多量の液状内容物Ａを順次内部に注ぎ込んで行く手作業を要し、→手間がかかり時間もかかる等、詰め替え補充作業が面倒で煩わしい、という問題が指摘されていた。
又、途中で液状内容物Ａが、口部６から外部に零れ出す事故が発生する、という問題も指摘されていた。
【０００７】
《本発明について》
本発明のポンプ付きの容器は、このような実情に鑑み、上記従来例の課題を解決すべく、発明者の鋭意研究努力の結果なされたものである。
そして本発明は、第１に、残液が殆ど発生せず、無駄がないと共に、第２に、詰め替え補充作業も簡単容易な、ポンプ付きの容器を提案することを、目的とする。
【課題を解決するための手段】
【０００８】
《請求項について》
このような課題を解決する本発明の技術的手段は、次のとおりである。
まず、請求項１については次のとおり。請求項１のポンプ付きの容器は、液状内容物を収納すると共に、口部に付設された手動ポンプにて吐出可能となっている。
そして、底部中央に形成された凹部と、該凹部に向け下降傾斜した底部底面と、該ポンプから垂下され下端部が該凹部の内部中央に臨んで位置する吸い上げ用のチューブパイプと、を有してなること、を特徴とする。
請求項２については次のとおり。請求項２のポンプ付きの容器は、請求項１において、該液状内容物が、粘性を帯びている。該凹部は、該ポンプの１回分の吐出量に見合った容積か若干少な目の容積よりなる。該底部底面は、放射状に浅い段差が複数設けられ、もって高位エリアと低位エリアとが交互に形成されている。
又、該チューブパイプの下端部は、対向面に切欠開口が形成され、該切欠開口は、高さ寸法が該凹部の深さ寸法以下に設定されている。かつ、該底部下に外周足部が形成され、該外周足部は、下端が該凹部以下の高さレベルまで垂下されていること、を特徴とする。
請求項３については次のとおり。請求項３のポンプ付きの容器は、請求項２において、該液状内容物を使い切って補充する際は、詰め替え袋内に封入されたものを使用する方式よりなる。
そして、該口部下の肩部と底部上の胴部との間が、上下に着脱可能となっている。もって、分離取外し状態において、該液状内容物の詰め替え袋が、該胴部内に収納可能であると共に、該チューブパイプの下端部にて破断可能となっていること、を特徴とする。
【０００９】
《作用等》
本発明のポンプ付きの容器は、このような手段よりなるので、次のようになる。
（１）この容器では、手動ポンプを操作することにより、液状内容物が、チューブパイプを介して吸い上げられ、もって吐出されて使用に供される。
（２）そして、これらが繰り返されて使用が進み、液状内容物の残量が少なくなると、次のようになる。
（３）まず容器の底部は、中央に凹部が形成され、周りの底面が、凹部に向け下降傾斜した形状よりなる。そこで、残量が少なくなった液状内容物は、例え粘性を帯びていても底面から凹部へと自然流下して、凹部に集中して溜まるようになる。
（４）特に、底面は放射状に段差が形成され、高位エリアと低位エリアが交互に形成されているので、液状内容物は、高位エリアから低位エリアへも段差を介して自然流下するが、その際、その粘性が分断，低下，解消され、もって底面に付着することなく、凹部へとスムーズに自然流下して行く。
【００１０】
（５）そして、凹部に溜まった液状内容物は、最終的に、凹部の容積に見合った量、つまりポンプ１回分の吐出量に見合った量か、若干少な目の量よりなる。
（６）又、ポンプのチューブパイプの下端部は、凹部に臨み底にほぼ当たると共に、切欠開口が対向形成されており、切欠開口は、高さ寸法が凹部の深さ寸法より小さく設定されている。そこで、凹部に溜まった液状内容物は、例え粘性を帯びていても、最後のポンプ操作により、チューブパイプ下端部の両側の切欠開口から一度に吸い込まれて、吸い上げられる。
（７）このように液状内容物は、残液が殆ど発生せず、ほぼ総べてが使用に供される。
【００１１】
（８）ところで、この容器は、液状内容物を使い切った場合は、詰め替え袋を利用して補充する方式よりなる。
そして補充に際しては、肩部と胴部間を取外し、詰め替え袋を胴部内に収納してから、チューブパイプ下端部の切欠開口にて、詰め替え袋を破断する。もって、封入されていた液状内容物が胴部内へと流出し、詰め替え袋を回収することにより、総べてがスムーズに胴部内に補充される。このように、液状内容物の詰め替え補充作業が、簡単容易である。
（９）さてそこで、本発明のポンプ付きの容器は、次の第１，第２の効果を発揮する。
【発明の効果】
【００１２】
《第１の効果》
第１に、残液が殆ど発生せず、無駄がない。すなわち、本発明のポンプ付きの容器では、底部が、所定容積の凹部と所定段差付の傾斜した底面と、を備えてなると共に、ポンプ側のチューブパイプの下端部に、所定の切欠開口を形成したことにより、残液が殆ど発生せず、収納されたほぼ総べての液状内容物が、無駄なく使用に供される。
前述したこの種従来例のように、多量の残液が発生することは防止され、粘性を帯びた液状内容物の場合でも、残液なくスムーズにほぼ総べてが使用に供されるようになる。
【００１３】
《第２の効果》
第２に、詰め替え補充作業も、簡単容易である。すなわち、本発明のポンプ付きの容器は、肩部と胴部間が着脱可能となっているので、肩部を取り外した胴部に詰め替え袋を収納し、チューブパイプ下端部にて破断して、詰め替え袋を回収するだけで、簡単容易に、液状収納物の詰め替え補充作業が完了する。
前述したこの種従来例のように、口部から充填するのに比し、面倒で煩わしい手間や時間を要することがなく、詰め替え補充作業が完了する。又、途中で液状内容物が零れ出す虞もない。
このように、この種従来例に存した課題がすべて解決される等、本発明の発揮する効果は、顕著にして大なるものがある。
【発明を実施するための最良の形態】
【００１４】
《図面について》
以下、本発明のポンプ付きの容器を、図面に示した発明を実施するための最良の形態に基づいて、詳細に説明する。図１，図２は、本発明を実施するための最良の形態の説明に供する。
そして図１は、正断面図である。図２の（１）図は、底部の平面図、（２）図は、底部の要部斜視図、（３）図は、チューブパイプの側面図、（４）図は、詰め替え袋の概略斜視図である。
【００１５】
《容器８の概要について》
まず、図１を参照して、本発明のポンプ１付の容器８の概要について、説明する。この容器８は、ポリプロピレン，ポリエチレン，ＰＥＴ樹脂，その他の樹脂製よりなり、上から順に口部６，肩部５，胴部４，底部９を供えてなる。
そして、口部６と肩部５とが一体成形されると共に、胴部４と底部９とが一体成形されており、肩部５下と胴部４上間が、ネジ部１０による螺合方式等により着脱可能に取付けられている。
内部に収納される液状内容物Ａとしては、シャンプー液やリンス液を始め、各種の化粧液，飲料，その他が考えられ、又、粘性を備えるものも多く、クリーム状，ゼリー状，ゲル状等をなしたり、泡状に吐出されるもの等々も考えられる。
【００１６】
そして、このような容器８の口部６に、手動方式のポンプ１が付設されている。すなわち、ポンプ１外側の装着筒１１が、ネジ部１２による螺合方式等により、口部６外側に取付けられている。
ポンプ１は、上部のヘッド１３を上下動操作することにより、まず、下部に垂下連接されたチューブパイプ７を介して、容器８内に収納された液状内容物Ａを、途中まで吸い上げると共に、次に、ヘッド１３に付設されたノズルＮから、途中まで吸い上げられていた分を、吐出するようになっている。
ポンプ１の具体的構成は、各種の公知構造の採用が考えられるが、基本的には、上下多段式のハウジングと、ハウジング内を上下動可能な垂直貫通孔付のピストンと、この貫通孔を開閉可能なロッド付の弁体と、ピストンや弁体を上方に付勢するスプリングと、貫通孔と連結されたノズルＮ付のヘッド１３と、から構成されている。
容器８は、概略このようになっている。
【００１７】
《容器８の底部９について》
次に、図１，図２の（１）図，（２）図を参照して、この容器８の底部９について、説明する。この底部９は、例えば内径が９８ｍｍ，外径が１０２ｍｍ程度の平面円形状をなし、凹部１４と底面１５と外周足部Ｆとが、一体成形されてなる。
まず、底部９の凹部１４は、底部９の中央に形成され、ポンプ１の１回分の吐出量に見合った容積か、若干少な目の容積よりなる。
すなわち凹部１４は、例えば、直径が２５ｍｍ程度で、深さ寸法Ｃが５〜６ｍｍ程度の有底円筒形状をなす。そして容積が、ポンプ１の例えば１回分のポンピング量に見合ったものとなっている。なお、この容積とポンピング量との比は、１：１程度に限定されるものではなく、０．７５：１程度でもよく、更に０．５：１程度も可能であるが、容積がポンピング量を上廻らない範囲で設定される。
【００１８】
底部９の底面１５は、凹部１４に向け下降傾斜している。すなわち底面１５は、胴部４下縁に連設された高位の外周から、凹部１４上縁に連設される低位の内周に向け下降傾斜しており、その傾斜角度Ｄは、水平面に対し例えば３度以上〜１５度以下程度、例えば１０度程度に設定される。具体的な傾斜角度Ｄは、収納される液状内容物Ａの粘性や成形効率の観点から、設定される。
そして、図２の（１）図，（２）図に示したように、この傾斜面たる底面１５は、放射状に浅い段差１６が複数設けられており、もって高位エリア１７と低位エリア１８とが、交互に形成されている。すなわち段差１６は、底面１５の仮想された中心から、外側に向け放射状に複数（図示例では６本）形成されており、もって底面１５について、各段差１６間に、高位エリア１７（図示例では計３個）と、低位エリア１８（図示例では計３個）とが、順次交互に形成されている。
そして段差１６は、底面１５のそれぞれ平面テーパー状をなす高エリア１７と低エリア１８間の区画境界として設けられているが、この段差１６自体も縦に垂直ではなく、底面１５の外周位置から内周位置に向け、徐々に少しずつ幅広となるように横に向けても下降傾斜している。
なお、底部９の外周足部Ｆは、底部９の外周下つまり底面１５の外周下に一体設されており、短円筒状をなし、下端が凹部１４と同じ高さレベルか、それ以下まで垂下設されている。
容器８の底部９は、このようになっている。
【００１９】
《チューブパイプ７について》
次に、図１，図２の（３）図を参照して、ポンプ１側のチューブパイプ７について、説明する。この吸い上げ用のチューブパイプ７は、ポンプ１から垂下され、下端部１９が凹部１４の内部中央に臨んでいる。又、チューブパイプ７の下端部１９は、対向側面に切欠開口２０が形成されており、このカットされた切欠開口２０は、高さ寸法Ｅが凹部１４の深さ寸法Ｃ以下に設定されている。
すなわちチューブパイプ７は、ポンプ１下中央から胴部４内の中心を垂下され、下端部１９が、底部９の凹部１４の内部中央に臨み、その底に当接するか底付近に達している。このように、凹部１４内に挿入されたチューブパイプ７の下端部１９の切欠開口２０は、図示のように少なくとも２個が、対向設されている（図２の（３）図も参照）。
そして、切欠開口２０の切り込み深さ、つまり高さ寸法Ｅが、凹部１４の例えば５〜６ｍｍの深さ寸法Ｃと同一寸法か、又は例えば３ｍｍとそれより少なく設定されている。図示例の切欠開口２０は、チューブパイプ７の下端部１９の両側を、それぞれ傾斜角６０度の傾斜面でカットして形成されており、結果的に、略テーパー状をなす下端部１９の下端縁に、切欠かれていない例えば横幅２ｍｍ程度の中間部が形成される。
チューブパイプ７は、このようになっている。
【００２０】
《詰め替え補充方式について》
次に、図１等を参照して、この容器８に収納された液状内容物Ａの詰め替え補充について、説明する。
この容器８は、収納された液状内容物Ａを使い切って補充する際は、詰め替え袋Ｂ（図２の（４）図を参照）内に封入されたものを、使用する方式よりなる。
そして、口部６下の肩部５と、底部９上の胴部４との間が、上下に着脱可能となっており、分離取外し状態において、詰め替え袋Ｂが胴部４内の底部９上に収納可能で、チューブパイプ７の切欠開口２０を備えた下端部９にて、上下に破断可能となっている。
詰め替え補充方式は、このようになっている。
【００２１】
《作用等について》
本発明のポンプ１付きの容器８は、以上説明したように構成されている。そこで、以下のようになる。
（１）この容器８では、内部に収納された液状内容物Ａが、→口部６に付設された手動ポンプ１を操作することにより、→チューブパイプ７を介し吸い上げられて、→ヘッド１３のノズルＮから外部に吐出され、→もって使用に供される（図１を参照）。
【００２２】
（２）そして、これらが繰り返されて使用が進み、→最終段階となり、液状内容物Ａの残量が少なくなると、→容器８の底部９では、次のようになる。
【００２３】
（３）まず、容器８の底部９は、中央に凹部１４が形成されると共に、周りの底面１５が、凹部１４に向け下降傾斜した形状よりなる。→そこで、最終段階の残量が少なくなった液状内容物Ａは、例え粘性を帯びたものであっても、下降傾斜した底面１５上から中央の凹部１４内へと、周りから自然流下し、→もって、凹部１４に集中して溜まるようになる（図１を参照）。
【００２４】
（４）特に、底部９の下降傾斜した底面１５は、放射状に浅い段差１６が複数形成され、高位エリア１７と低位エリア１８とが、交互に形成されているので、→最終段階の残量が少なくなった液状内容物Ａは、例え粘性を帯びていても、上述したように中央の凹部１４へと自然流下しつつ、各高位エリア１７からそれぞれ低位エリア１８へも、つまり段差１６を介して左右斜め方向へも自然流下した後、凹部１４へと自然流下する（図２の（１）図，（２）図を参照）。
→そして、このような段差１６を介した流下により、→残量が少なくなって、底部９の底面１５上で薄い層状をなす液状内容物Ａについて、その相互間粘性が分断，低下，解消され、→もって液状内容物Ａは、底面１５に貼り付いて付着することもなく、高位エリア１７から低位エリア１８を経由した後、中央の凹部１４へと導かれ、→よりスムーズに、凹部１４内へと自然流下して行くようになる。
【００２５】
（５）そして、凹部１４内に集中的に溜まった液状内容物Ａは、→最終的に、凹部１４の容積に見合った量、つまりポンプ１の１回分の吐出量に見合った量か、若干少な目の量よりなる（図１を参照）。つまり、最終段階における凹部１４内の液状内容物Ａは、極く僅かの一定量となる。
【００２６】
（６）又、ポンプ１から垂下された吸い上げ用のチューブパイプ７は、下端部１９が、凹部１４の内部中央に臨んで位置し凹部１４の底にほぼ当たると共に、下端部１９の対向面に切欠開口２０が形成されており、この切欠開口２０は、高さ寸法Ｅが凹部１４の深さ寸法Ｃより小さく設定されている。
→そこで、凹部１４内に溜まった液状内容物Ａは、例え粘性を帯びていても、最後の１回のポンプ１操作により、→チューブパイプ７下端部１９の両側の切欠開口２０から、チューブパイプ７内へと、両側からまんべんなく一気に一度にスムーズに吸い込まれ、→ほぼ余すことなく総べてがスムーズに吸い上げられる（図１，図２の（３）図を参照）。
【００２７】
（７）このようにして、この容器８では、収納された液状内容物Ａは、残液が容器８内に取り残されることが殆どなく、ほぼその総べてが外部に吐出され、→もって、残液発生が殆どなく、最後のほぼ一滴まで使用に供すことができる。
【００２８】
（８）ところで、この容器８は、収納されていた液状内容物Ａを使い切った場合は、詰め替え袋Ｂ内に封入された新たな液状内容物Ａを、補充する方式よりなる（図１，図２の（４）図を参照）。
そして、容器８の口部６下の肩部５と底部９上の胴部４との間が、上下に着脱可能となっているので、→補充に際しては、まず、肩部５と胴部４間を分離して取外し、→詰め替え袋Ｂを袋ごと、胴部４内かつ底部９上に収納してから、→肩部５側のチューブパイプ７の下端部１９の切欠開口２０にて、胴部４内に収納された詰め替え袋Ｂを、破断する。
→もって、詰め替え袋Ｂ内に封入されていた液状内容物Ａが、胴部４内へと流出するので、→詰め替え袋Ｂを、外部にゆっくりと回収することにより、→封入されていた液状内容物Ａの総べてが、胴部４内に補充される。→それから胴部４上に、一旦取り外されていた肩部５（口部６やポンプ１付き）を、取付けることにより、→液状内容物Ａの補充が完了する。このように、液状内容物Ａの詰め替え補充作業は、簡単容易に実施される。
又、詰め替え袋Ｂを胴部４内に収納してから破断するので、詰め替え補充作業の途中で、液状内容物Ａが外部に零れ出す虞もない。
【００２９】
《その他》
なお、以上説明した図示例において、容器８の底部９は、中央の凹部１４と周りの底面１５とが、形状的に区画されていたが、本発明は、このような図示例に限定されるものではない。
例えば凹部１４を、傾斜した底面１５と連続した面一傾斜形状としてもよい。つまり凹部１４を、図示例のように有底円筒形状ではなく、底面１５の傾斜角度Ｄと同一角度の逆円錐形状としてもよい。
【図面の簡単な説明】
【００３０】
【図１】本発明に係るポンプ付きの容器について、発明を実施するための最良の形態の説明に供し、正断面図である。
【図２】同発明を実施するための最良の形態の説明に供し、（１）図は、底部の平面図、（２）図は、底部の要部斜視図、（３）図は、チューブパイプの側面図、（４）図は、詰め替え袋の概略斜視図である。
【図３】従来例の説明に供し、正断面図である。
【符号の説明】
【００３１】
１  ポンプ
２  容器（従来例）
３  底部（従来例）
４  胴部
５  肩部
６  口部
７  チューブパイプ
８  容器（本発明）
９  底部（本発明）
１０  ネジ部
１１  装着筒
１２  ネジ部
１３  ヘッド
１４  凹部
１５  底面
１６  段差
１７  高位エリア
１８  低位エリア
１９  下端部
２０  切欠開口
Ａ  液状内容物
Ｂ  詰め替え袋
Ｃ  深さ寸法
Ｄ  傾斜角度
Ｅ  高さ寸法
Ｆ  外周足部
Ｎ  ノズル
【図１】
2006315744.tif 000003
【図２】
2006315744.tif 000004
【図３】
2006315744.tif 000005